(57)【要約】【課題】一部の蓄電素子を容易に取り外すことのできる蓄電モジュールを提供する。【解決手段】蓄電モジュール１０は端部から正極および負極のリード端子３４が突出する蓄電素子３２を複数個、積層してなる積層体３０を備える。蓄電素子３２のリード端子３４のうち、隣り合う蓄電素子３２のリード端子３４と接続される端子接続リード端子３４１には、接続部材３７が接合され、端子接続リード端子３４１に接合された接続部材３７同士がボルト２１締めにより接続されることで電気的に接続されている。【選択図】図３
2014135163.tif 000002
【特許請求の範囲】
【請求項１】
端部から正極および負極のリード端子が突出する蓄電素子を複数個、積層してなる積層体を備え、
隣り合う前記蓄電素子の前記リード端子間は、ボルト締めにより電気的に接続されている蓄電モジュール。
【請求項２】
隣り合う前記蓄電素子の前記リード端子間は、接続部材を介して接続されている請求項１に記載の蓄電モジュール。
【請求項３】
前記蓄電素子のリード端子のうち、隣り合う前記蓄電素子のリード端子と接続される端子接続リード端子には、前記接続部材が接合され、
前記端子接続リード端子に接合された接続部材同士がボルト締めにより接続されている請求項２に記載の蓄電モジュール。
【請求項４】
前記接続部材を固定保持する絶縁樹脂製の保持部材をさらに備える請求項２または請求項３に記載の蓄電モジュール。
【請求項５】
前記保持部材には前記蓄電素子を保持する蓄電素子保持部が設けられている請求項４に記載の蓄電モジュール。
【発明の詳細な説明】
【技術分野】
【０００１】
本発明は、蓄電モジュールに関する。
【背景技術】
【０００２】
内部に蓄電要素が収容されてなる蓄電素子の一例としてリチウムイオン電池やニッケル水素電池等の二次電池等が知られている。リチウムイオン電池等の二次電池は、複数個を接続することにより電池モジュールを構成する。このような電池モジュールとしては、例えば、特許文献１に記載されているものなどが知られている。
【先行技術文献】
【特許文献】
【０００３】
【特許文献１】特開２００６−２１０３１２号公報
【発明の概要】
【発明が解決しようとする課題】
【０００４】
上記特許文献１には、端部から正極および負極のリード端子が突出する単電池を複数個、積層してなる電池モジュールが開示されている。この電池モジュールにおいて、隣り合う単電池は、極性の相違する（逆極性の）リード端子同士を接続することにより直列に接続される。
【０００５】
上記特許文献１に記載の電池モジュールにおいては、隣り合う単電池のリード端子のうち、一方のリード端子を他方のリード端子側に折り曲げることで２つのリード端子を接触するように重ね合わせて、溶接を施すことにより接合されている。
【０００６】
隣り合うリード端子間を溶接により接合して複数の単電池を直列に接続した場合、一部の単電池に異常があったとしても、その単電池だけを取り外すことは困難であった。
【０００７】
本発明は上記のような事情に基づいて完成されたものであって、一部の蓄電素子を容易に取り外すことのできる蓄電モジュールを提供することを目的とする。
【課題を解決するための手段】
【０００８】
本発明は、端部から正極および負極のリード端子が突出する蓄電素子を複数個、積層してなる積層体を備え、隣り合う前記蓄電素子の前記リード端子間は、ボルト締めにより電気的に接続されている蓄電モジュールである。
【０００９】
本発明において、隣り合う蓄電素子のリード端子間はボルト締めにより接続されているので、例えば、蓄電モジュールを構成する複数の蓄電素子のうちの一部の蓄電素子を取り外したい場合には、ボルト締結状態を解除することにより、その蓄電素子を取り外すことができる。その結果、本発明によれば一部の蓄電素子を容易に取り外すことのできる蓄電モジュールを提供することができる。
【００１０】
本発明は以下の構成としてもよい。
隣り合う前記蓄電素子の前記リード端子間は、接続部材を介して接続されていてもよい。
このような構成とするとリード端子間の接続部分が接続部材により補強される。
【００１１】
前記蓄電素子のリード端子のうち、隣り合う前記蓄電素子のリード端子と接続される端子接続リード端子には、前記接続部材が接合され、前記端子接続リード端子に接合された接続部材同士がボルト締めにより接続されていてもよい。
このような構成とすると、リード端子が直接ボルト締めにより接続される構成のものよりも、リード端子間の電気的な接続部分の強度を高めることができ、これにより接続信頼性も高めることができる。
【００１２】
前記接続部材を固定保持する絶縁樹脂製の保持部材をさらに備えていてもよい。
このような構成とすると、バスバーの移動が規制され、蓄電素子間の電気的な接続の信頼性を高めることができる。
【００１３】
前記保持部材には前記蓄電素子を保持する蓄電素子保持部が設けられていてもよい。
このような構成とすると蓄電素子の位置ずれを防止して、蓄電素子同士の衝突等に起因する短絡や接続不良を防止することができる。
【発明の効果】
【００１４】
本発明によれば、一部の蓄電素子を容易に取り外すことのできる蓄電モジュールを提供することができる。
【図面の簡単な説明】
【００１５】
【図１】実施形態１の蓄電モジュールの斜視図
【図２】蓄電モジュールの分解斜視図
【図３】前方から見た積層体の斜視図
【図４】後方から見た積層体の斜視図
【図５】積層体の平面図
【図６】図５のＡ−Ａ線における一部断面図
【図７】図６の拡大断面図
【図８】ボルト締め前の積層体を前方から示した斜視図
【図９】ボルト締め前の積層体を後方から示した斜視図
【図１０】積層体の分解斜視図
【図１１】上から６段目の電池ユニットの斜視図
【図１２】図１１の電池ユニットを枠体と単電池とに分解した斜視図
【図１３】図１１の電池ユニットの分解斜視図
【図１４】上から２〜５段目の電池ユニットの斜視図
【図１５】図１４の電池ユニットを枠体と単電池とに分解した斜視図
【図１６】図１４の電池ユニットの分解斜視図
【図１７】上から１段目の電池ユニットの斜視図
【図１８】図１７の電池ユニットを枠体と単電池とに分解した斜視図
【図１９】図１７の電池ユニットの分解斜視図
【発明を実施するための形態】
【００１６】
＜実施形態１＞
本発明を電池モジュール１０に適用した実施形態１を図１ないし図１９によって説明する。以下の説明において、図５における左側を前方とし右側を後方とし、図６の上方を上とし下方を下とする。
本実施形態の電池モジュール１０は、例えばＩｎｔｅｇｒａｔｅｄ  Ｓｔａｒｔｅｒ  Ｇｅｎｅｒａｔｏｒ（ＩＳＧ）用の電池モジュール１０として用いられる。
【００１７】
（電池モジュール１０）
電池モジュール１０は、図１に示すように、全体として略直方体形状をなしている。電池モジュール１０の前側面および後側面（図１における左右に配される面）からは、それぞれ、各単電池３２（蓄電素子の一例）のリード端子３４に接続された電圧検知用の電線（図示せず）が外部に導出されるようになっている。
【００１８】
電池モジュール１０は、図２に示すように、複数の単電池３２（本実施形態では６個の単電池３２）を積層してなる積層体３０と、単電池３２のリード端子３４が導出される端縁３３Ａにそれぞれ取り付けられる保持部材４０と、単電池３２の長辺方向に伸びる一対の端縁３３Ｂ（接合部３３Ｂ）に配される保護部材６０と、これらを収容する金属製のケース１１と、を備える。本実施形態において保持部材４０と保護部材６０とは枠状の部材（枠体２０という）を構成している。
【００１９】
（ケース１１）
ケース１１は、積層体３０を収容するケース本体１２と、ケース本体１２の上面に被せ付けられる蓋部１３と、を備える。ケース本体１２は、上面および前側面が開口している。ケース本体１２の前側の開口部には絶縁蓋部材１９が取り付けられている。
【００２０】
ケース本体１２の底面においては、突出面１２Ａよりも外側に、ケース本体１２に収容した積層体３０と蓋部１３とを固定するための第１固定部材２３が挿通される固定孔（図示せず）が貫通して形成されている。また、ケース本体１２の底面においては、前端側に方形状の孔１２Ｂが貫通して形成されている。この方形状の孔１２Ｂは、前側の開口部に取り付けられる絶縁蓋部材１９を係止する蓋部係止孔１２Ｂとされる。
【００２１】
ケース本体１２の長手方向に沿って配される一対の側面には、略円形をなし、蓋部１３を固定するための第２固定部材（図示せず）を挿通可能な固定孔１２Ｃが複数（３つ）ずつ形成されている。
【００２２】
蓋部１３は図２に示すように、略長方形状の板状部１４と、板状部１４に対して略垂直下方に連なり、ケース本体１２の上端部に固定される固定部１７と、を備える。板状部１４の中央位置には、内側方向（下側方向）に突出する突出面１４Ａが形成されている。蓋部１３の突出面１４Ａは、最上段（上から１段目）の単電池３２と接触可能とされる。蓋部１３の突出面１４Ａと単電池３２とが接触することにより蓋部１３に単電池３２から生じる熱が伝わって、外部に放熱されるようになっている。
【００２３】
板状部１４においては、突出面１４Ａよりも外側に、蓋部１３と、積層体３０と、ケース本体１２とを固定するための第１固定部材２３が配される固定孔１５が貫通して形成されている。固定孔１５の孔径は、第１固定部材２３の外径よりも小さく形成されている。
【００２４】
また、板状部１４においては、前端部側に長方形状の孔１６が貫通して形成されている。この孔１６は、前側に取り付けられる絶縁蓋部材１９を係止する蓋係止孔１６とされる。
【００２５】
固定部１７には、略円形をなし、蓋部１３をケース本体１２に固定するための第２固定部材を挿通可能な挿通孔１８が複数（３つ）形成されている。固定部１７はケース本体１２の一対の側面（図１の手前側と奥側に配される面）および後側面の外側に重ねられる。
【００２６】
ケース本体１２の前側の開口部に取り付けられた絶縁蓋部材１９には、外部接続バスバー３８が導出されるバスバー導出口１９Ｂが形成されている。
【００２７】
絶縁蓋部材１９の下端部には、図２に示すように、電線を導出するための略方形状の切欠部１９Ａが設けられている。この絶縁蓋部材１９は、ケース本体１２の開口部を覆うだけでなく積層体３０の前方の端面側に配されるリード端子３４および端子接続バスバー３７（接続部材の一例）を絶縁保護する機能を有している。
【００２８】
絶縁蓋部材１９の上端部と下端部には、それぞれ、後方（図２における右方向）に突出する一対の突出片１９Ｃが設けられている。突出片１９Ｃの先端には蓋係止孔１６および蓋部係止孔１２Ｂに係止される係止突部１９Ｄが形成されている。
【００２９】
絶縁蓋部材２６の上端部の一対の突出片１９Ｃの間には、後方に突出する絶縁板部１９Ｅが形成されている。絶縁板部１９Ｅは蓋部１３の下方に重なるように配されている。
【００３０】
（積層体３０）
ケース１１には図２に示すように、複数の単電池３２を積層してなる積層体３０が収容されている。本実施形態において、積層体３０は、単電池３２を枠体２０に保持させてなる電池ユニット３１を複数（本実施形態では６つ）積層してなるものである。６つの電池ユニット３１を区別するときは、上から順に３１Ａ，３１Ｂ，３１Ｃ，３１Ｄ，３１Ｅ，３１Ｆとする（図８および図９参照）。
【００３１】
（単電池３２）
電池ユニット３１において、上面視略長方形状の単電池３２は、図５に示すように、枠体２０内に保持されている。
各単電池３２は、図６に示すように、外側面のうち面積の広い面を上下に配して、略平行に配置されている。積層方向において隣り合う単電池３２は、相違する極性のリード端子３４が対向する位置に配されるように配置されている。
【００３２】
各単電池３２はラミネート型の電池である。各単電池３２は、図示しない発電要素（蓄電要素の一例）と、発電要素を収容する容器３３と、容器３３内で発電要素に接続されるとともに容器３３の短辺方向の端縁３３Ａから外側方向に突出するリード端子３４と、を有する。
【００３３】
容器３３は、金属箔の外側に樹脂層を積層したラミネートフィルムからなり、その外周縁が熱溶着により接合されている。容器３３の材料として用いられる金属箔としてはアルミニウム箔等があげられ、樹脂層としては、ポリエチレンテレフタレート、ナイロン等があげられる。金属箔の内側（発電要素側）には、ポリエチレンまたはポリプロピレン等からなる熱溶着層が設けられている。
【００３４】
熱溶着により接合された容器３３の外周縁のうち、長手方向の一対の端縁３３Ｂに沿って、絶縁樹脂製の保護部材６０が配されている。容器３３の短辺方向の一対の端縁３３Ａ（蓄電素子の端部の一例）からは、それぞれ、極性の相違するリード端子３４が外側方向に突出している。
【００３５】
（リード端子３４）
さて、隣り合う単電池３２の極性の相違するリード端子３４と接続されるリード端子３４（端子接続リード端子３４１）は、端子接続バスバー３７を介して電気的に接続されている。隣り合う単電池３２と接続されないリード端子３４（上から１段目の単電池３２の負極リード端子３４および上から６段目の単電池３２の正極リード端子３４）には、外部機器との接続用の外部接続バスバー３８が直接重ねられて接続されている。なお、各単電池３２の負極リード端子３４は、それぞれ電圧検知端子（図示せず）に直接重ねられて接続されている。
【００３６】
各リード端子３４においては、図６および図７に示すように、上下方向に突出し、保持部材４０に係止される係止凸部３６が形成されている。
【００３７】
リード端子３４のラミネートフィルム（容器）の端縁３３Ａ側の領域３４Ａは、末端側の領域３４Ｂよりも幅広な幅広領域３４Ａとされ、この幅広領域３４Ａの角部３４Ｃが保持部材４０の単電池保持部５１（蓄電素子保持部の一例）に嵌り込んで、単電池３２の移動が規制されるようになっている。
【００３８】
外部接続バスバー３８に接続されるバスバー接続リード端子３４２（上から１段目の負極リード端子３４および上から６段目の正極リード端子３４）には、図６に示すように、側面視Ｕ字状の突部３５が形成されている。Ｕ字状の突部３５はバスバー接続リード端子３４２と外部接続バスバー３８とを接続する際にバスバー接続リード端子３４２が受ける応力を緩和する機能を有する。
【００３９】
リード端子３４の末端側の領域３４Ｂは、溶接により、端子接続バスバー３７または外部接続バスバー３８に接続される接続領域３４Ｂである。端子接続リード端子３４１の接続領域３４Ｂには、端子接続バスバー３７が接合され、バスバー接続リード端子３４２の接続領域３４Ｂには外部接続バスバー３８が接合されている。
【００４０】
（端子接続バスバー３７）
隣り合う単電池３２のリード端子３４間を電気的に接続させるために用いられる端子接続バスバー３７は、図１３、図１６および図１９に示すように、Ｌ字状をなしている。端子接続バスバー３７は、純アルミ、アルミ合金、銅または銅合金などの導電性材料からなる。
【００４１】
端子接続バスバー３７は、端子接続リード端子３４１の接続領域３４Ｂに接合された端子接合部３７Ａと、端子接合部３７Ａに対し略垂直方向に連なり、隣接する端子接続バスバー３７と重ねられ接続される端子間接続部３７Ｂと、を有する。
【００４２】
端子接続バスバー３７の端子間接続部３７Ｂには、積層方向において隣接する端子接続バスバー３７との接続に用いるボルト２１を挿通可能なボルト挿通孔３７Ｃが貫通して形成されている。端子接続バスバー３７のボルト挿通孔３７Ｃは、保持部材４０のボルト挿入孔４４と重なり合って１つの孔となる位置に配される（図７を参照）。
【００４３】
（外部接続バスバー３８）
最上段の単電池３２のリード端子３４に接続される外部接続バスバー３８Ｂは、電池モジュール１０の負極として機能する端子３８Ｂであり、最下段の単電池３２のリード端子３４に接続される外部接続バスバー３８Ａは、電池モジュール１０の正極として機能する端子３８Ａである。各外部接続バスバー３８は、純アルミ、アルミ合金、銅または銅合金などの導電性材料からなり、絶縁蓋部材１９のバスバー導出口１９Ｂから導出される部分３９が外部機器と接続される端子部３９である。
【００４４】
（保持部材４０）
各単電池３２は、絶縁樹脂製の保持部材４０により保持されている。保持部材４０は、単電池３２の容器３３の短辺方向の一対の端縁３３Ａに、それぞれ配されている。以下の説明において、１２個の保持部材４０を区別して説明するときには、前方に配される６個の保持部材４０を上から順に４０Ａ，４０Ｂ，４０Ｃ，４０Ｄ，４０Ｅ，４０Ｆとし、後方に配される６個の保持部材４０を上から順に４０Ｇ，４０Ｈ，４０Ｉ，４０Ｊ，４０Ｋ，４０Ｌとする。
【００４５】
上から１段目の保持部材４０Ａ，４０Ｇの下側面、上から２〜５段目の保持部材４０Ｂ，４０Ｃ，４０Ｄ，４０Ｅ，４０Ｈ，４０Ｉ，４０Ｊ，４０Ｋの上下面、および上から６段目の保持部材４０Ｆ，４０Ｌの上側面は段差状をなしている。これらの保持部材４０を上下方向に重ね合わせると、上側に配される保持部材４０の下側面から下方に突出する凸状部分４１が、下側に配される保持部材４０の上側面の凹み部分４２に嵌り込み、保持部材４０が上下に突出しないようになっており省スペースである（図３および図４を参照）。
【００４６】
各保持部材４０には、第１固定部材２３を挿通可能な２つの貫通孔４３が貫通して設けられている。
【００４７】
上から１〜５段目の保持部材４０Ａ，４０Ｂ，４０Ｃ，４０Ｄ，４０Ｅ，４０Ｇ，４０Ｈ，４０Ｉ，４０Ｊ，４０Ｋの上下面には、リード端子３４を配置して保持する端子配置部４５が形成されており、この端子配置部４５には、リード端子３４の係止凸部３６を受け入れて係止する係止溝４６が設けられている（図６および図７を参照）。係止溝４６はリード端子３４を係止して単電池３２を位置決めする機能を有する。上から６段目の保持部材４０Ｆ，４０Ｌにおいても、係止溝４６が上下面に設けられている。
【００４８】
各保持部材４０には、リード端子３４の幅広領域３４Ａの角部３４Ｃが嵌り込む凹状の単電池保持部５１が設けられている。この単電池保持部５１により、リード端子３４（単電池３２）は移動を規制される。
【００４９】
各保持部材４０には、保護部材６０を取り付ける保護部材取付部４７が形成されている（図１３、図１６及び図１９を参照）。保護部材取付部４７は各保持部材４０に２つずつ設けられている。保護部材取付部４７は、保護部材６０に設けた係止凹部６１に受け入れられる係止片４７Ａと、保護部材６０の端部が嵌めこまれる保護部材受け部４７Ｂと、を備える。
【００５０】
保持部材４０のうち、すぐ下側のリード端子３４と接続される端子接続バスバー３７を固定し保持する保持部材４０Ｂ，４０Ｄ，４０Ｇ，４０Ｉ，４０Ｋにおいては、端子接続バスバー３７の端子間接続部３７Ｂが配される壁面にボルト２１を挿通可能なボルト挿入孔４４が貫通して形成されている（図１６、図１９を参照）。
【００５１】
保持部材４０Ａ，４０Ｆには外部接続バスバー３８が嵌めこまれ固定される凹み部４９Ａが形成されている。保持部材４０Ｂ，４０Ｃ，４０Ｄ，４０Ｅ，４０Ｇ，４０Ｈ，４０Ｉ，４０Ｊ，４０Ｋ，４０Ｌには端子接続バスバー３７が嵌めこまれ固定される凹み部４８Ａが形成されている。
【００５２】
端子接続バスバー３７を固定する保持部材４０の凹み部４８Ａは、端子配置部４５よりも低く（凹んで）形成され、凹み部４８Ａと端子配置部４５との境界の段差部４８Ｃに端子接続バスバー３７の端面が当接するようになっている。
【００５３】
端子接続バスバー３７を固定する保持部材４０の凹み部４８Ａの側壁には、端子接続バスバー３７を抜け止めする抜け止め突部４８Ａが２つずつ（合計４つ）突出形成されている。端子接続バスバー３７は、抜け止め突部４８Ａの下方に差し込まれて保持されるようになっている。
【００５４】
外部接続バスバー３８を固定する保持部材４０の凹み部４９Ａには、外部接続バスバー３８を係止して抜け止めするバスバー係止片４９Ｂが４つ形成されている。
【００５５】
また、上から１段目の後方に配される保持部材４０Ｇには、積層体保持部材２２のロック片２２Ａを係止する係止孔５０Ａが設けられている。積層体保持部材２２は、積層体３０の後方の端面側に配される端子接続バスバー３７の端子間接続部３７Ｂとケース１１との間に配され、リード端子３４を絶縁保護する。
【００５６】
保持部材４０には、端子接続バスバー３７同士を接続した接続部３７Ｄの周囲を取り囲んで他の接続部３７Ｄや他の端子接続バスバー３７との接触を防止し絶縁する絶縁壁部５２が形成されている（図３および図４等を参照）。
【００５７】
（保護部材６０）
本実施形態において、単電池３２の容器３３の長手方向の一対の端縁３３Ｂには、それぞれ、絶縁樹脂製の保護部材６０が配されている。保護部材６０は図１２、図１５、および図１８に示すように保持部材４０に取り付けられている。
【００５８】
保護部材６０の端部は保持部材４０の保護部材受け部４７Ｂに嵌めこまれるようになっている。また、保護部材６０には、図１３、図１６および図１９に示すように、保持部材４０に設けた係止片４７Ａを受け入れる係止凹部６１が設けられている。この係止凹部６１内には係止片４７Ａを抜け止めする係止孔６１Ａが形成されている。
【００５９】
保護部材６０の上面には、リード端子３４の長手方向の端縁３３Ｂを載置する載置部６２が形成されている。保護部材６０の上面のうち、載置部６２よりも外側に配される端縁３３Ｂは載置部６２よりも高くなっており、リード端子３４の端面が外側に露出しないように保護する絶縁保護部６３として機能する。
【００６０】
保護部材６０には、下方（単電池３２の積層方向）に突出し、下方に配される単電池３２と間隔をあけて保持可能とする保持突部６４が形成されている。
【００６１】
また、保護部材６０の端部の近傍には、容器３３の接合部３３Ｂから発電要素収容部３３Ｃに沿って配される半円状の保護突部６５が形成されている。この保護部材６０の下側面は詳細は図示しないが肉抜きされている。
【００６２】
（本実施形態の電池モジュール１０の組み立て方法）
次に本実施形態の電池モジュール１０の組み立て方法について説明する。図１２に示す単電池３２を１個、図１５に示す単電池３２を４個、図１８に示す単電池３２を１個用意する。図１１〜図１３は電池ユニット３１Ｆを図示したものであり、図１４〜図１６は電池ユニット３１Ｂ，３１Ｃ，３１Ｄを図示したものであり、図１７〜図１９は電池ユニット３１Ａを図示したものである。
【００６３】
まず、１個の単電池３２につき、２個の保護部材６０および２個の保持部材４０を用いて枠体２０を作製する。保持部材４０としては、図１３、図１６および図１９に示すように、各単電池３２に対応したものを組み合わせて枠体２０を作製する。
【００６４】
枠体２０を作製する際には、保持部材４０の保護部材受け部４７Ｂに保護部材６０の端部を嵌めこんで、保護部材６０の係止凹部６１内に形成された係止孔６１Ａに保持部材４０の係止片４７Ａを係止させる。２個の保持部材４０の間に２個の保護部材６０を取り付けると、枠体２０が得られる。
【００６５】
枠体２０を構成する保持部材４０に、必要に応じて電圧検知端子を収容し、次いで外部接続バスバー３８または端子接続バスバー３７を取り付けて固定する。
【００６６】
端子接続バスバー３７の取り付け作業は、以下のように行う。保持部材４０の凹み部４８Ａに、端子接続バスバー３７を図５における左右方向に挿入する。端子接続バスバー３７の端面が段差部４８Ｃに当接するまで端子接続バスバー３７を挿入すると、段差部４８Ｃおよび抜け止め突部４８Ａにより挿入方向における前方への移動が規制されるとともに、保持部材４０の抜け止め突部４８Ａにより上方への移動が規制され、端子接続バスバー３７が抜け止めされる。
【００６７】
外部接続バスバー３８の取り付け作業は、以下のように行う。保持部材４０の凹み部４９Ａの上方から端子接続バスバー３７を嵌めこむとと、外部接続バスバー３８とバスバー係止片４９Ｂが当接して、バスバー係止片４９Ｂが外側方向にたわみ変形する。外部接続バスバー３８が凹み部４９Ａ内に収容されると、バスバー係止片４９Ｂが弾性復帰して、外部接続バスバー３８の上方への移動を規制し抜け止め状態となる。
【００６８】
次に、各枠体２０の上に単電池３２を配置する。枠体２０に単電池３２を載置するときには、各リード端子３４の係止凸部３６が、保持部材４０の端子配置部４５の係止溝４６に嵌るようにするとともに、各リード端子３４の角部３４Ｃが、各保持部材４０の単電池保持部５１に嵌るように単電池３２を枠体２０に載置する。すると、単電池３２のリード端子３４が係止溝４６により係止されることで単電池３２の位置ずれが防止されるとともに、単電池３２が単電池保持部５１により移動を規制される。
【００６９】
このとき、単電池３２の容器３３の長手方向の端縁３３Ｂは、保護部材６０の絶縁保護部６３に沿って配されるので、保護部材６０の外側に露出しない。
【００７０】
また、保護部材６０に設けた保護突部６４が、容器３３の接合部３３Ｂから発電要素収容部３３Ｃに沿って配されるので、容器３３の接合部３３Ｂから発電要素収容部３３Ｃが保護されるとともに単電池３２の位置ずれが確実に防止される。
【００７１】
次に、外部接続バスバー３８または端子接続バスバー３７とリード端子３４とを溶接により接合すると、図１１、図１４および図１７に示す電池ユニット３１が得られる。
【００７２】
６つの電池ユニット３１を図１０に示すように、順に積み重ねる（積層する）。上側に配される保持部材４０を下方に移動させると、上側に配される保持部材４０の下側面から下方に突出する凸状部分４１が、下側に配される保持部材４０の上側面の凹み部分４２に嵌り込み、保持部材４０が上下に突出しないように重ねられる。
【００７３】
電池ユニット３１を積層する際には、上下方向（積層方向）において隣接する単電池３２のリード端子３４に接続した端子接続バスバー３７の端子間接続部３７Ｂ同士を重なり合うように配置する。
【００７４】
詳しくは、２つの端子接続バスバー３７の端子間接続部３７Ｂに設けたボルト挿通孔３７Ｃと保持部材４０のボルト挿入孔４４とが重なり合って１つの孔となるように配置すると図９および図１０に示す積層体が得られる。
【００７５】
次に、２つの端子接続バスバー３７のボルト挿通孔３７Ｃと保持部材４０のボルト挿入孔４４にボルト２１を挿入して接続すると、６つの電池ユニット３１が接続され積層体３０が得られる。
【００７６】
積層体３０においては、６段に積層された保持部材４０の貫通孔４３が重なって、１つの貫通した孔となる。また、保護部材６０に形成されている保持突部６４により積層方向において隣り合う単電池３２が間隔をあけて保持される。そして隣り合う端子接続バスバー３７同士の接続部３７Ｄの周縁には保持部材４０の絶縁壁部５２５４が配置されるので、これにより、端子接続バスバー３７同士の接続部３７Ｄも絶縁状態で保持される。
【００７７】
次に、保持部材４０Ｇの係止孔５０Ａに積層体保持部材２２のロック片２２Ａを係合させて、積層体保持部材２２を積層体３０の後方の端面側に取り付けることにより、積層体３０を保持状態とする。
【００７８】
次に、絶縁蓋部材１９をケース本体１２の前側の開口部に取り付ける。具体的には、絶縁蓋部材１９のバスバー導出口１９Ｂから外部接続バスバー３８を導出させて、絶縁蓋部材１９の下端部の一対の突出片１９Ｃをケース本体１２の蓋部係止孔１２Ｂに係合させると、絶縁蓋部材１９がケース本体１２に取り付けられる。
【００７９】
次に、蓋部１３をケース本体１２の上面を覆うように被せ付け、蓋部１３の蓋係止孔１６を絶縁蓋部材１９の上端部の一対の突出片１９Ｃと係合させると、図１に示すような、電池モジュール１０が得られる。
【００８０】
次に、蓋部１３とケース本体１２の底壁部との間において、積層体３０の端部に配されている保持部材４０の貫通孔４３に第１固定部材２３を貫通させた状態で、図示しない治具に蓋部１３の固定孔１５、中空の第１固定部材２３およびケース本体１２の底壁部の固定孔（図示せず）を挿入して位置合わせを行った後に、ビスまたはピンを用いて蓋部１３とケース本体１２を固定する。このようにして電池モジュール１０が完成する。
【００８１】
（本実施形態の作用および効果）
次に、本実施形態の作用および効果について説明する。
本実施形態において、隣り合う単電池３２のリード端子３４間（端子接続リード端子３４１間）は、ボルト２１締めにより接続されているので、例えば、電池モジュール１０を構成する複数の単電池３２のうちの一部の単電池３２を取り外したい場合には、ボルト２１による締結状態を解除することにより、その単電池３２を取り外すことができる。その結果、本実施形態によれば一部の単電池３２を容易に取り外すことのできる電池モジュール１０を提供することができる。
【００８２】
また、本実施形態によれば、単電池３２の端子接続リード端子３４１間は、端子接続バスバー３７を介して、接続されているから、リード端子３４間の接続部分が端子接続バスバー３７により補強される。
【００８３】
特に、本実施形態においては、端子接続リード端子３４１には、端子接続バスバー３７が接合され、当該端子接続バスバー３７同士がボルト２１締めにより接続されているから、リード端子同士が直接ボルト締めにより接続される構成のものよりも、リード端子３４間の電気的な接続部分３７Ｄの強度を高めることができ、これにより接続信頼性も高めることができる。
【００８４】
また、本実施形態によれば、端子接続バスバー３７および外部接続バスバー３８を固定保持する絶縁樹脂製の保持部材４０をさらに備えているから、各バスバー３７，３８の移動が規制され、単電池３２間の電気的な接続の信頼性を高めることができる。
【００８５】
また、本実施形態によれば、保持部材４０には単電池３２を保持する単電池保持部５１が設けられているから、単電池３２の位置ずれを防止して、単電池３２同士の衝突等に起因する短絡や接続不良を防止することができる。
【００８６】
＜他の実施形態＞
本発明は上記記述及び図面によって説明した実施形態に限定されるものではなく、例えば次のような実施形態も本発明の技術的範囲に含まれる。
（１）上記実施形態では、隣り合う単電池３２のリード端子３４間を、端子接続バスバー３７を介して接続する構造のものを示したが、リード端子にボルト挿通孔を形成してリード端子同士を接触するように配してボルト締めすることにより接続する構成であってもよい。
（２）上記実施形態では、端子接続リード端子３４１にはそれぞれ端子接続バスバー３７が接合され、端子接続リード端子３４１に接合された端子接続バスバー３７同士をボルト２１締めにより接続する構成を示したが、この構成に限定されない。例えば、隣り合う端子接続リード端子のうちの一方のみにバスバーを溶接により接合しておき、当該バスバーと、バスバーが接合されていない端子接続リード端子とを、ボルト締結により接続してもよい。
（３）上記実施形態では、端子接続バスバー３７を固定保持する絶縁樹脂製の保持部材４０をさらに備えるものを示したが、保持部材を備えないものであってもよい。
（４）上記実施形態では、単電池３２を保持する単電池保持部５１が設けられている保持部材４０を備えるものを示したが、保持部材は、単電池保持部のないものであってもよい。
【００８７】
（５）上記実施形態では単電池３２の長手方向の縁部３３Ｂを保護する保護部材６０を備える例を示したが、保護部材を備えないものであってもよい。
（６）上記実施形態では、保持部材４０の保護部材取付部４７に保護部材６０を取り付けてなる枠体２０を備える例を示したが、保持部材と保護部材は枠体を構成せず、分離した構成であってもよい。
（７）上記実施形態では、蓄電素子が電池である例を示したが、蓄電素子は、コンデンサなどであってもよい。
（８）上記実施形態では、ＩＳＧ用の電池モジュール１０に用いる例を示したが、他の用途の電池モジュールに用いてもよい。
【符号の説明】
【００８８】
１０…電池モジュール（蓄電モジュール）
２０…枠体
２１…ボルト
３０…積層体
３１…電池ユニット
３２…単電池（蓄電素子）
３３Ａ…端部
３４…リード端子
３４１…端子接続リード端子
３４２…バスバー接続リード端子
３４Ｃ…角部
３７…端子接続バスバー（接続部材）
３７Ａ…端子接合部
３７Ｂ…端子間接続部
３７Ｃ…ボルト挿通孔
３７Ｄ…（端子間接続部を接続した）接続部
３８…外部接続バスバー
４０…保持部材
４４…ボルト挿入孔
４８Ａ…凹み部
４８Ｂ…抜け止め突部
５１…単電池保持部（蓄電素子保持部）
【図１】
2014135163.tif 000003
【図２】
2014135163.tif 000004
【図３】
2014135163.tif 000005
【図４】
2014135163.tif 000006
【図５】
2014135163.tif 000007
【図６】
2014135163.tif 000008
【図７】
2014135163.tif 000009
【図８】
2014135163.tif 000010
【図９】
2014135163.tif 000011
【図１０】
2014135163.tif 000012
【図１１】
2014135163.tif 000013
【図１２】
2014135163.tif 000014
【図１３】
2014135163.tif 000015
【図１４】
2014135163.tif 000016
【図１５】
2014135163.tif 000017
【図１６】
2014135163.tif 000018
【図１７】
2014135163.tif 000019
【図１８】
2014135163.tif 000020
【図１９】
2014135163.tif 000021